(57)【要約】      （修正有）【課題】外光が乏しいなどの外部環境にあっても、照射部からの光が、回転する多面体の表面で反射することにより、煌めき感を表現して装飾性を向上させる。【解決手段】筐体１０の開口部Ｈの内部に光反射性を有する多面体１１ａを回転可能に設け、多面体に光を照射する照射部を備える。具体的には、表示部が設けられ、表示部の外側で厚さ方向に貫通するように開口部が形成された板状の筐体と、開口部の内部に回転可能に設けられ、光反射性を有する多面体と、多面体に光を照射する照射部とを備える。上記開口部の内部の表面には、光反射性を有する反射部材１５ａａ，１５ａｂが設けられている。【選択図】図１
2013251825.tif 000002
【特許請求の範囲】
【請求項１】
表示部が設けられ、該表示部の外側で厚さ方向に貫通するように開口部が形成された板状の筐体と、
上記開口部の内部に回転可能に設けられ、光反射性を有する多面体と、
上記多面体に光を照射する照射部とを備えていることを特徴とする携帯端末。
【請求項２】
請求項１に記載された携帯端末において、
上記開口部の内部の表面には、光反射性を有する反射部材が設けられていることを特徴とする携帯端末。
【請求項３】
請求項２に記載された携帯端末において、
上記照射部は、該照射部からの光が出射する出射面を有し、
上記反射部材は、上記多面体を介して上記出射面に対向するように設けられた反射頂面を有し、
上記出射面及び反射頂面は、中心位置が互いにずれるように設けられていることを特徴とする携帯端末。
【請求項４】
請求項１〜３の何れか１つに記載された携帯端末において、
上記多面体は、光透過性を有していることを特徴とする携帯端末。
【請求項５】
請求項１〜４の何れか１つに記載された携帯端末において、
上記照射部は、上記多面体を挟むように一対設けられていることを特徴とする携帯端末。
【請求項６】
請求項１〜５の何れか１つに記載された携帯端末において、
上記筐体には、上記開口部を間に挟んで該開口部を塞ぐように一対の透明部材が設けられていることを特徴とする携帯端末。
【請求項７】
請求項１〜６の何れか１つに記載された携帯端末において、
上記筐体には、上記多面体を回転させる駆動源が内蔵されていることを特徴とする携帯端末。
【発明の詳細な説明】
【技術分野】
【０００１】
本発明は、携帯端末に関し、特に、装飾性を有する携帯端末に関するものである。
【背景技術】
【０００２】
近年、携帯電話機などの携帯端末は、所有者のファッションの一部となっており、良いデザインの端末を所有することがステイタスにもなっている。そのため、携帯端末のデザインに求められる一つの側面として、他の所有者の端末よりも華美であることが重要になってきており、携帯端末の外装や照明に様々な意匠を凝らしたものが提案されている。
【０００３】
例えば、特許文献１には、マルチファンクションキーの両側に、不在着信又は未読メール着信があった場合に点滅又は点灯するアクセスサインＬＥＤ（Light Emitting Diode）を配置した携帯電話端末が開示されている。
【０００４】
また、非特許文献１には、鉛クリスタルガラスの小片を全面にあしらった携帯端末が開示されている。
【０００５】
また、非特許文献２には、着信時や開閉時などの様々なシーンで側面のＬＥＤが鮮やかに点灯する携帯端末が開示されている。
【先行技術文献】
【特許文献】
【０００６】
【特許文献１】特開２００６−３０４３５９号公報
【非特許文献】
【０００７】
【非特許文献１】”７０５ＳＨスワロスキー・クリスタル・バージョン”、［online］、ソフトバンクモバイル株式会社ホームページ、［平成２４年４月２３日検索］、インターネット＜ＵＲＬ：http://www.softbankmobile.co.jp/ja/news/press/2006/20061117_01/＞
【非特許文献２】”ＳＨ−０１Ｂ”、［online］、シャープ株式会社ホームページ、［平成２４年４月２３日検索］、インターネット＜ＵＲＬ：http://k-tai.sharp.co.jp/dash/d/sh-01b/gallery/index.html＞
【発明の概要】
【発明が解決しようとする課題】
【０００８】
ところで、上記特許文献１に開示された携帯電話端末では、アクセスＬＥＤの点滅又は点灯の動作パターン、及びその点滅又は点灯の色が変えられるので、電飾性（イルミネーション機能）を有しているものの、電飾性を含む装飾性全体としては、改善の余地がある。また、上記非特許文献１に開示された携帯端末では、全面に設けられた鉛クリスタルガラスの各小片の表面で外光の変化に応じて変化する反射光により煌めくので、高い装飾性を有しているものの、外光に変化がない場合や外光が乏しい場合には、煌めき感が減ってしまうので、改善の余地がある。また、上記非特許文献２に開示された携帯端末では、側面のＬＥＤが様々なシーンで点灯するので、電飾性を有しているものの、上記非特許文献１に開示された携帯端末のような煌めき感を表現することが難しいので、改善の余地がある。
【０００９】
本発明は、かかる点に鑑みてなされたものであり、その目的とするところは、外部環境によらずに煌めき感を表現して、装飾性を向上させることにある。
【課題を解決するための手段】
【００１０】
上記目的を達成するために、本発明は、筐体の開口部の内部に光反射性を有する多面体を回転可能に設け、多面体に光を照射する照射部を備えるようにしたものである。
【００１１】
具体的に本発明に係る携帯端末は、表示部が設けられ該表示部の外側で厚さ方向に貫通するように開口部が形成された板状の筐体と、上記開口部の内部に回転可能に設けられ光反射性を有する多面体と、上記多面体に光を照射する照射部とを備えていることを特徴とする。
【００１２】
上記の構成によれば、板状の筐体の表示部の外側に開口部が設けられ、その開口部の内部に光反射性を有する多面体が回転可能に設けられ、その多面体に光を照射する照射部を備えているので、外光が乏しくても、照射部からの光が回転する多面体の表面で反射することにより、煌びやかな光が多面体から発散される。これにより、煌めき感が表現されるので、外部環境によらずに煌めき感を表現して、装飾性を向上させることが可能になる。
【００１３】
上記開口部の内部の表面には、光反射性を有する反射部材が設けられていてもよい。
【００１４】
上記の構成によれば、開口部の内部の表面に光反射性を有する反射部材が設けられているので、照射部からの光が回転する多面体の表面で反射した後に、反射部材の表面で反射することにより、複雑な光の表現が実現する。
【００１５】
上記照射部は、該照射部からの光が出射する出射面を有し、上記反射部材は、上記多面体を介して上記出射面に対向するように設けられた反射頂面を有し、上記出射面及び反射頂面は、中心位置が互いにずれるように設けられていてもよい。
【００１６】
上記の構成によれば、照射部の出射面、及び反射部材の反射頂面が互いに対向するように設けられ、出射面及び反射頂面の各中心位置が互いにずれるように設けられているので、反射頂面で反射した光が出射面に戻ることが抑制され、光の利用効率が向上する。
【００１７】
上記多面体は、光透過性を有していてもよい。
【００１８】
上記の構成によれば、多面体が光透過性を有しているので、照射部からの光が回転する多面体の表面で反射するだけでなく屈折することにより、いっそう煌びやかな光が多面体から発散される。
【００１９】
上記照射部は、上記多面体を挟むように一対設けられていてもよい。
【００２０】
上記の構成によれば、照射部が多面体を挟むように一対設けられているので、多面体の回転方向の周りにおける照度のばらつきが抑制される。
【００２１】
上記筐体には、上記開口部を間に挟んで該開口部を塞ぐように一対の透明部材が設けられていてもよい。
【００２２】
上記の構成によれば、筐体に開口部を塞ぐように一対の透明部材が設けられているので、多面体からの煌びやかな光を損なうことなく、開口部の内部への異物の混入が抑制されると共に、多面体が外部から保護される。
【００２３】
上記筐体には、上記多面体を回転させる駆動源が内蔵されていてもよい。
【００２４】
上記の構成によれば、筐体に多面体を回転させる駆動源が内蔵されているので、開口部の内部に設けられた多面体が煌びやかな光を発散しながら具体的に回転することになる。
【発明の効果】
【００２５】
本発明によれば、筐体の開口部の内部に光反射性を有する多面体が回転可能に設けられ、多面体に光を照射する照射部を備えているので、外部環境によらずに煌めき感を表現して、装飾性を向上させることができる。
【図面の簡単な説明】
【００２６】
【図１】実施形態１に係る携帯端末の正面図である。
【図２】実施形態１に係る携帯端末の上面図である。
【図３】図１中のIII−III線に沿った携帯端末の断面図である。
【図４】図３中のIV−IV線に沿った携帯端末の断面図である。
【図５】実施形態１に係る携帯端末の使用説明図である。
【図６】図３に対応する実施形態２に係る携帯端末の断面図である。
【図７】図３に対応する実施形態３に係る携帯端末の断面図である。
【図８】図７中のVIII−VIII線に沿った携帯端末の断面図である。
【図９】図３に対応する実施形態４に係る携帯端末の断面図である。
【図１０】図９中のX−X線に沿った携帯端末の断面図である。
【図１１】図３に対応する実施形態５に係る携帯端末の断面図である。
【図１２】図１１中のXII−XII線に沿った携帯端末の断面図である。
【発明を実施するための形態】
【００２７】
以下、本発明の実施形態を図面に基づいて詳細に説明する。なお、本発明は、以下の各実施形態に限定されるものではない。
【００２８】
《発明の実施形態１》
図１〜図５は、本発明に係る携帯端末の実施形態１を示している。ここで、本実施形態及び後述する実施形態２〜５では、携帯端末として、スマートフォンと呼ばれる携帯電話機を例示する。なお、図１は、本実施形態の携帯電話機２０ａの正面図である。また、図２は、図１中の上側から見た携帯電話機２０ａの上面図である。また、図３は、図１中のIII−III線に沿った携帯電話機２０ａの断面図である。また、図４は、図３中のIV−IV線に沿った携帯電話機２０ａの断面図である。また、図５は、携帯電話機２０ａの使用説明図である。
【００２９】
携帯電話機２０ａは、図１〜図４に示すように、表示部Ｄ及び開口部Ｈがそれぞれ設けられた樹脂製の板状の筐体１０と、開口部Ｈの内部に回転可能に設けられた多面体１１ａと、多面体１１ａに光を照射する照射部１４ａと、開口部Ｈの内部の表面に設けられた反射部材１５ａａ及び１５ａｂと、開口部Ｈを間に挟んで開口部Ｈを塞ぐように設けられた一対の透明部材１６と、多面体１１ａを回転させる駆動源として設けられたモーター１７とを備えている。
【００３０】
表示部Ｄには、例えば、液晶表示パネルや有機ＥＬ（Electro Luminescence）表示パネルなどの表示パネル、及びその表示パネルに積層又は内蔵された静電容量方式などのタッチパネルが設けられている。
【００３１】
開口部Ｈは、図１及び図２に示すように、表示部Ｄの外側で筐体１０の厚さ方向に貫通するように、筐体１０の厚さ方向に直交する断面が矩形状に設けられている。
【００３２】
筐体１０には、図１に示すように、表示部Ｄの図中下側に端末操作の第１階層となるホーム画面への復帰機能、取り消し又は全画面に戻る機能、設定メニューの呼び出し機能などが割り付けられた種々の操作キー１、表示部Ｄの図中上側に受話音声を外部に出力するための受話器孔２、送話音声を内部に入力するための送話器孔（不図示）などが設けられている。また、筐体１０の内部には、図３及び図４に示すように、携帯電話として機能させるための主要な電子部品が実装されたプリント配線基板（ＰＷＢ：Printed Wiring Board）９が設けられている。
【００３３】
多面体１１ａは、図１〜図４に示すように、１６（＝８×２）個の二等辺三角形の面と、１６（＝８×２）個の等脚台形の面との三十二面体に形成されている。なお、本実施形態では、三十二面体の多角体１１ａを例示したが、多角体１１ａは、例えば、正四面体、正六面体（立方体）、正八面体、正十二面体、正二十面体などの正多面体、切頭四面体、切頭立方体、切頭八面体、切頭十二面体、切頭二十面体（サッカーボール形）などの半正多面体、２つの正四面体が１つの面を共有するように連結された連結体などの正多面体（半正多面体）の連結体、三角柱、四角柱などの多角柱のように、各々、光を反射及び透過する複数の平面が配置された形状であればよい。
【００３４】
多面体１１ａは、例えば、透明又は半透明の多面体本体と、その多面体本体の表面に蒸着などにより設けられたハーフミラー層とを備え、光反射性及び光透過性を有している。ここで、多面体本体の材質としては、屈折による分光が得られ易いので、例えば、鉛クリスタルガラスのような屈折率が高いものが好ましい。また、ハーフミラー層は、多面体１１ａの各面において、入射する光を所定の比率で反射及び透過させることにより、反射によって出射する光と、透過及びそれによる屈折によって出射する光とが発生するように構成されている。なお、本実施形態では、多面体本体の表面にハーフミラー層が設けられた多面体１１ａを例示したが、多面体本体の材質の屈折率が低く、屈折による分光効果が得られ難い場合には、ハーフミラー層の反射率を高く設定したり、ハーフミラー層の代わりに、入射する光が全反射する全反射層としたりしてもよい。また、ハーフミラー層の反射率は、各面で均一である必要がなく、ハーフミラー層が特定の面だけに設けられていてもよい。これによれば、例えば、多面体１１ａの回転に応じて、反射及び透過の比率が変わったり、特定の面での反射及び屈折が繰り返されるなどの装飾効果を得ることができる。また、ハーフミラー層における光の反射、透過又は吸収は、全ての可視光スペクトルで一定である必要がなく、特定帯域だけで反射、透過、又は吸収してもよい。これによれば、特定帯域だけでの反射、透過又は吸収に起因する色味の変化により、装飾効果を得ることができる。
【００３５】
多面体１１ａには、図３及び図４に示すように、筐体１０に枢支された回転軸Ｓａが固定されていると共に、モーター１７に接続された回転軸Ｓｂが固定又は一定の摩擦力で接続されている。
【００３６】
照射部１４ａは、図３及び図４に示すように、プリント配線基板９上に固定された光源１２ａと、光源１２ａからの光を多面体１１ａに対して面状に出射させるように楔状に設けられた透明な樹脂製の導光板１３ａと備えている。また、照射部１４ａでは、図３に示すように、多面体１１ａ側の導光板１３ａの表面が出射面Ｆａとなっている。なお、本実施形態では、光源１２ａ及び導光板１３ａを備えた照射部１４ａを例示したが、照射部１４ａは、導光板１３ａを省略して、多面体１１ａの側方にＬＥＤを配置した構成であってもよい。
【００３７】
光源１２ａは、例えば、側面照射型のＬＥＤなどである。なお、本実施形態では、筐体１０内の限られた容積を考慮して、光源１２ａとして、側面照射型のＬＥＤを例示したが、容積を考慮しなくてもよければ、リード線を有する非面実装型のＬＥＤ、上面照射型のＬＥＤなどであってもよい。また、光源１２ａは、多面体１１ａでの屈折による分光を得るのであれば、単灯の白色ＬＥＤが好ましいが、例えば、３原色による多灯のマルチカラーＬＥＤを利用して、光源１２ａからの光の色自体を変化させてもよい。
【００３８】
反射部材１５ａａは、図３及び図４に示すように、回転軸Ｓａ及びＳｂに向かって徐々に突出するように形成された一対の傾斜面を有し、それらの一対の傾斜面の間に形成された凹条部に照射部１４ａが嵌め込まれた構成になっている。また、反射部材１５ａｂは、図３及び図４に示すように、回転軸Ｓａ及びＳｂに向かって徐々に突出するように平面状に形成された一対の傾斜面と、それらの一対の傾斜面の間に平面状に設けられた反射頂面Ｆｂとを備え、反射部材１５ａａと対向するように設けられている。ここで、反射部材１５ａａ及び１５ａｂでは、一対の傾斜面及び反射頂面Ｆｂが平滑に形成され、鏡面反射が可能になっている。また、反射頂面Ｆｂは、図３に示すように、その中心位置が出射面Ｆｂの中心位置にほぼ一致する状態で出射面Ｆｂと対向するように設けられている。なお、本実施形態では、平滑な一対の傾斜面及び反射頂面Ｆｂを例示したが、集光や分散が優れたデザイン性をもたらすことがあるので、一対の傾斜面及び反射頂面Ｆｂは、曲面状、凹凸状などに形成されていてもよい。
【００３９】
透明部材１６は、図２及び図３に示すように、例えば、透明樹脂やガラスなどにより形成され、多面体１１ａ、反射部材１５ａａ及び１５ａｂなどの構造物を保護すると共に、開口部Ｈの内部への異物の混入を抑制するように構成されている。なお、透明部材１６は、筐体１０の開口部Ｈだけを覆うように構成されていたり、筐体１０の表示部Ｄを覆うカバーと一体で構成されていたりしてもよい。
【００４０】
モーター１７は、図４に示すように、プリント配線基板９に形成された貫通孔に固定され、例えば、毎秒１回転（６０ｒｐｍ）以下の低速で多面体１１ａを回転させるように構成されている。なお、本実施形態では、超音波モーターのような低速の回転が可能で回転軸方向のサイズが小さいものを想定したが、例えば、ラックアンドピニオンやゴムローラによる減速や回転方向の変更が可能であれば、モーター１７の選択は、この限りではない。
【００４１】
上記構成の携帯電話機２０ａは、右手及び左手のどちらで保持しても、図５に示すように、多面体１１ａなどが設けられた開口部Ｈがユーザーの手から露出するように構成され、例えば、通話中にモーター１７及び光源１２ａが通電されることにより、光源１２ａからの光が導光板１３ａを介して低速で回転している多面体１１ａの表面に照射されることになる。そして、多面体１１ａの各面では、光源１２ａからの光が反射及び屈折されることにより、多面体１１ａの周りに、反射光の旋回、並びに屈折（透過）光の分光によるスペクトルの変化及びその旋回により、煌びやかな光が発散して、煌めくような照明効果が得られることになる。なお、本実施形態では、通話中に煌びやかな光が発散する携帯電話機２０ａを例示したが、例えば、メールの着信時、ブラウザによるＷｅｂ閲覧などのデータ通信時、充電器を接続した時、充電完了時、充電中などの場合に、煌びやかな光を発散させてもよい。
【００４２】
以上説明したように、本実施形態の携帯電話機２０ａによれば、板状の筐体１０の表示部Ｄの外側に開口部Ｈが設けられ、開口部Ｈの内部に光反射性及び光透過性を有する多面体１１ａが回転可能に設けられ、多面体１１ａに光を照射する照射部１４ａを備えているので、外光が乏しくても、照射部１４ａからの光が回転する多面体１１ａの表面で反射及び屈折することにより、煌びやかな光を多面体１１ａから発散させることができる。これにより、煌めき感が表現されるので、外部環境によらずに煌めき感を表現して、装飾性を向上させることができる。
【００４３】
また、本実施形態の携帯電話機２０ａによれば、開口部Ｈの内部の表面に光反射性を有する反射部材１５ａａ及び１５ａｂが設けられているので、照射部１４ａからの光が回転する多面体１１ａの表面で反射した後に、反射部材１５ａａ及び１５ａｂの表面で反射することにより、複雑な光の表現を実現することができる。
【００４４】
また、本実施形態の携帯電話機２０ａによれば、筐体１０に開口部Ｈを塞ぐように一対の透明部材１６が設けられているので、多面体１１ａからの煌びやかな光を損なうことなく、開口部Ｈの内部への異物の混入を抑制することができると共に、多面体１１ａ、並びに反射部材１５ａａ及び１５ａｂを外部から保護することができる。
【００４５】
《発明の実施形態２》
図６は、図３に対応する本実施形態の携帯電話機２０ｂの断面図である。なお、以下の各実施形態において、図１〜図５と同じ部分については同じ符号を付して、その詳細な説明を省略する。
【００４６】
上記実施形態１では、出射面Ｆａの中心位置と反射頂面Ｆｂの中心位置とがほぼ一致するように配置された携帯電話機２０ａを例示したが、本実施形態では、出射面Ｆａの中心位置と反射頂面Ｆｂの中心位置とがずれるように配置された携帯電話機２０ｂを例示する。
【００４７】
携帯電話機２０ｂは、図６に示すように、表示部Ｄ（図１参照）及び開口部Ｈ（図１参照）がそれぞれ設けられた樹脂製の板状の筐体１０（図１参照）と、開口部Ｈの内部に回転可能に設けられた多面体１１ａと、多面体１１ａに光を照射する照射部１４ｂと、開口部Ｈの内部の表面に設けられた反射部材１５ｂａ及び１５ｂｂと、開口部Ｈを間に挟んで開口部Ｈを塞ぐように設けられた一対の透明部材１６と、多面体１１ａを回転させる駆動源として設けられたモーター１７とを備えている。
【００４８】
照射部１４ｂは、図６に示すように、プリント配線基板９上に固定された光源１２ｂと、光源１２ｂからの光を多面体１１ａに対して面状に出射させるように楔状に設けられた透明な樹脂製の導光板１３ｂと備えている。また、照射部１４ｂでは、図６に示すように、多面体１１ａ側の導光板１３ｂの表面が出射面Ｆａとなっている。ここで、光源１２ｂ及び導光板１３ｂは、互いの相対的な位置が異なるだけで、上記実施形態１の光源１２ａ及び導光板１３ａとそれぞれ実質的に同じ構成になっている。
【００４９】
反射部材１５ｂａは、図６に示すように、回転軸Ｓａに向かって徐々に突出するように形成された一対の傾斜面を有し、それらの一対の傾斜面の間に形成された凹条部に照射部１４ｂが嵌め込まれた構成になっている。また、反射部材１５ｂｂは、図６に示すように、回転軸Ｓａに向かって徐々に突出するように平面状に形成された一対の傾斜面と、それらの一対の傾斜面の間に平面状に設けられた反射頂面Ｆｂとを備え、反射部材１５ｂａと対向するように設けられている。ここで、反射部材１５ｂａ及び１５ｂｂでは、一対の傾斜面及び反射頂面Ｆｂが平滑に形成され、鏡面反射が可能になっている。また、反射頂面Ｆｂは、図６に示すように、その中心位置が出射面Ｆｂの中心位置と図中縦方向にずれた状態で出射面Ｆｂと対向するように設けられている。
【００５０】
以上説明したように、本実施形態の携帯電話機２０ｂによれば、上記実施形態１と同様に、板状の筐体１０の表示部Ｄの外側に開口部Ｈが設けられ、開口部Ｈの内部に光反射性及び光透過性を有する多面体１１ａが回転可能に設けられ、多面体１１ａに光を照射する照射部１４ｂを備えているので、外部環境によらずに煌めき感を表現して、装飾性を向上させることができる。
【００５１】
また、本実施形態の携帯電話機２０ｂによれば、照射部１４ｂの出射面Ｆａ、及び反射部材１５ｂｂの反射頂面Ｆｂが互いに対向するように設けられ、出射面Ｆａ及び反射頂面Ｆｂの各中心位置が互いにずれるように設けられているので、反射頂面Ｆｂで反射した光が出射面Ｆａに戻ることを抑制することができ、照射部１４ｂからの光の利用効率を向上させることができる。
【００５２】
《発明の実施形態３》
図７は、図３に対応する本実施形態の携帯電話機２０ｃの断面図である。また、図８は、図７中のVIII−VIII線に沿った携帯電話機２０ｃの断面図である。
【００５３】
上記実施形態１及び２では、単一の照射部１４ａ及び１４ｂをそれぞれ備えた携帯電話機２０ａ及び２０ｂを例示したが、本実施形態では、一対の照射部１４ｂを備えた携帯電話機２０ｃを例示する。
【００５４】
携帯電話機２０ｃは、図７及び図８に示すように、表示部Ｄ（図１参照）及び開口部Ｈ（図１参照）がそれぞれ設けられた樹脂製の板状の筐体１０と、開口部Ｈの内部に回転可能に設けられた多面体１１ａと、多面体１１ａに光を照射する一対の照射部１４ｂと、開口部Ｈの内部の表面に設けられた反射部材１５ｃａ及び１５ｃｂと、開口部Ｈを間に挟んで開口部Ｈを塞ぐように設けられた一対の透明部材１６と、多面体１１ａを回転させる駆動源として設けられたモーター１７とを備えている。
【００５５】
反射部材１５ｃａは、図７及び図８に示すように、上記実施形態２の反射部材１５ｂａと実質的に同じ構成になっている。また、反射部材１５ｃｂは、図７及び図８に示すように、回転軸Ｓａ及びＳｂに向かって徐々に突出するように形成された一対の傾斜面を有し、それらの一対の傾斜面の間に形成された凹条部に照射部１４ｂが嵌め込まれた構成になっている。ここで、反射部材１５ｃａ及び１５ｃｂは、図７に示すように、回転軸Ｓａ及びＳｂを中心として点対称に形成されている。また、反射部材１５ｃａ及び１５ｃｂでは、一対の傾斜面が平滑に形成され、鏡面反射が可能になっている。
【００５６】
以上説明したように、本実施形態の携帯電話機２０ｃによれば、上記実施形態１と同様に、板状の筐体１０の表示部Ｄの外側に開口部Ｈが設けられ、開口部Ｈの内部に光反射性及び光透過性を有する多面体１１ａが回転可能に設けられ、多面体１１ａに光を照射する照射部１４ｂを備えているので、外部環境によらずに煌めき感を表現して、装飾性を向上させることができる。
【００５７】
また、本実施形態の携帯電話機２０ｃによれば、照射部１４ｂが多面体１１ａを挟むように一対設けられているので、多面体１１ａの回転方向の周りにおける照度のばらつきを抑制することができる。
【００５８】
《発明の実施形態４》
図９は、図３に対応する本実施形態の携帯電話機２０ｄの断面図である。また、図１０は、図９中のX−X線に沿った携帯電話機２０ｄの断面図である。
【００５９】
上記実施形態１、２及び３では、多面体１１ａの回転軸Ｓａ及びＳｂと、多面体１１ａの回転対称の軸とが一致するように構成された携帯電話機２０ａ、２０ｂ及び２０ｃを例示したが、本実施形態では、多面体１１ｂの回転軸Ｓａ及びＳｂと、多面体１１ｂの回転対称の軸Ａとが交差するように構成された携帯電話機２０ｄを例示する。
【００６０】
携帯電話機２０ｄは、図９及び図１０に示すように、表示部Ｄ（図１参照）及び開口部Ｈ（図１参照）がそれぞれ設けられた樹脂製の板状の筐体１０と、開口部Ｈの内部に回転可能に設けられた多面体１１ｂと、多面体１１ｂに光を照射する照射部１４ａと、開口部Ｈの内部の表面に設けられた反射部材１５ａａ及び１５ａｂと、開口部Ｈを間に挟んで開口部Ｈを塞ぐように設けられた一対の透明部材１６と、多面体１１ｂを回転させる駆動源として設けられたモーター１７とを備えている。
【００６１】
多面体１１ｂは、図９及び図１０に示すように、上面及び下面が正八角形の八角柱に形成されている。ここで、多面体１１ｂの回転軸Ｓａ及びＳｂは、図１０に示すように、多面体１１ｂの回転対称の軸Ａと僅かに交差するように設けられている。また、多面体１１ｂは、例えば、透明又は半透明の多面体本体と、その多面体本体の表面に蒸着などにより設けられたハーフミラー層とを備え、光反射性及び光透過性を有している。また、多面体１１ｂには、図９及び図１０に示すように、筐体１０に枢支された回転軸Ｓａが固定されていると共に、モーター１７に接続された回転軸Ｓｂが固定又は一定の摩擦力で接続されている。
【００６２】
以上説明したように、本実施形態の携帯電話機２０ｄによれば、上記実施形態１と同様に、板状の筐体１０の表示部Ｄの外側に開口部Ｈが設けられ、開口部Ｈの内部に光反射性及び光透過性を有する多面体１１ｂが回転可能に設けられ、多面体１１ｂに光を照射する照射部１４ａを備えているので、外部環境によらずに煌めき感を表現して、装飾性を向上させることができる。
【００６３】
また、本実施形態の携帯電話機２０ｄによれば、多面体１１ｂが４５°の回転で各面の向きが回転前の各面の向きと一致して、１回転当たり同じ光の変化が８回繰り返される八角柱であっても、多面体１１ｂの回転軸Ｓａ及びＳｂは、多面体１１ｂの回転対称の軸Ａと僅かに交差しているので、多面体１１ｂの面の向きを増やすことができ、光による表現のバリエーションを増やすことができる。
【００６４】
《発明の実施形態５》
図１１は、図３に対応する本実施形態の携帯電話機２０ｅの断面図である。また、図１２は、図１１中のXII−XII線に沿った携帯電話機２０ｅの断面図である。
【００６５】
上記実施形態４では、多面体１１ｂの回転軸Ｓａ及びＳｂと、多面体１１ｂの回転対称の軸Ａとが交差するように構成された携帯電話機２０ｄを例示したが、本実施形態では、多面体１１ｃの回転軸Ｓａ及びＳｂと、多面体１１ｃの回転対称の軸Ａとが平行にずれるように構成された携帯電話機２０ｅを例示する。
【００６６】
携帯電話機２０ｅは、図１１及び図１２に示すように、表示部Ｄ（図１参照）及び開口部Ｈ（図１参照）がそれぞれ設けられた樹脂製の板状の筐体１０と、開口部Ｈの内部に回転可能に設けられた多面体１１ｃと、多面体１１ｃに光を照射する照射部１４ａと、開口部Ｈの内部の表面に設けられた反射部材１５ａａ及び１５ａｂと、開口部Ｈを間に挟んで開口部Ｈを塞ぐように設けられた一対の透明部材１６と、多面体１１ｃを回転させる駆動源として設けられたモーター１７とを備えている。
【００６７】
多面体１１ｃは、図１１及び図１２に示すように、上面及び下面が正八角形の八角柱に形成されている。ここで、多面体１１ｃの回転軸Ｓａ及びＳｂは、図１２に示すように、多面体１１ｃの回転対称の軸Ａと平行にずれるように設けられている。また、多面体１１ｃは、例えば、透明又は半透明の多面体本体と、その多面体本体の表面に蒸着などにより設けられたハーフミラー層とを備え、光反射性及び光透過性を有している。また、多面体１１ｃには、図１１及び図１２に示すように、筐体１０に枢支された回転軸Ｓａが固定されていると共に、モーター１７に接続された回転軸Ｓｂが固定又は一定の摩擦力で接続されている。
【００６８】
以上説明したように、本実施形態の携帯電話機２０ｅによれば、上記実施形態１と同様に、板状の筐体１０の表示部Ｄの外側に開口部Ｈが設けられ、開口部Ｈの内部に光反射性及び光透過性を有する多面体１１ｃが回転可能に設けられ、多面体１１ｃに光を照射する照射部１４ａを備えているので、外部環境によらずに煌めき感を表現して、装飾性を向上させることができる。
【００６９】
また、本実施形態の携帯電話機２０ｅによれば、多面体１１ｃが４５°の回転で各面の向きが回転前の各面の向きと一致して、１回転当たり同じ光の変化が８回繰り返される八角柱であっても、多面体１１ｃの回転軸Ｓａ及びＳｂが多面体１１ｃの回転対称の軸Ａと平行にずれるように設けられているので、回転角度によって、照射部１４ａと多面体１１ｃとの距離を変化させることができ、光による表現のバリエーションを増やすことができる。
【００７０】
なお、上記各実施形態では、携帯端末として、スマートフォンと呼ばれる携帯電話機を例示したが、本発明は、スマートフォン以外の携帯電話機、ＰＨＳ（Personal Handy-phone System ）、ＰＤＡ(Personal Digital Assistant)、電子書籍端末、パソコン、モバイルツール、電子辞書、電卓、ゲーム機などにも適用することができる。
【産業上の利用可能性】
【００７１】
以上説明したように、本発明は、外部環境によらずに煌めき感を表現して、装飾性を向上させることができるので、スマートフォンなどの携帯電話機だけでなく、携帯端末全般について有用である。
【符号の説明】
【００７２】
Ｄ      表示部
Ｆａ    出射面
Ｆｂ    反射頂面
Ｈ      開口部
１０    筐体
１１ａ〜１１ｃ    多面体
１４ａ，１４ｂ    照射部
１５ａａ，１５ａｂ，１５ｂａ，１５ｂｂ，１５ｃａ，１５ｃｂ    反射部材
１６    透明部材
１７    モーター（駆動源）
２０ａ〜２０ｅ    携帯電話機（携帯端末）
【図１】
2013251825.tif 000003
【図２】
2013251825.tif 000004
【図３】
2013251825.tif 000005
【図４】
2013251825.tif 000006
【図５】
2013251825.tif 000007
【図６】
2013251825.tif 000008
【図７】
2013251825.tif 000009
【図８】
2013251825.tif 000010
【図９】
2013251825.tif 000011
【図１０】
2013251825.tif 000012
【図１１】
2013251825.tif 000013
【図１２】
2013251825.tif 000014